(57)【要約】【課題】様々な形状の対象物に取り付けられたＲＦＩＤタグに近接した状態でアンテナを容易に保持することを可能とするアンテナの取付構造を提供する。【解決手段】本発明は、ＲＦＩＤタグ２５が取り付けられた金型３にアンテナ部１ｂを取り付けるためのアンテナの取付構造である。アンテナ部１ｂは、ジョイント部材３１を介して、ＲＦＩＤタグ２５と対向するように、金型３に取り付けられる。これにより、金型３がプレス機に取り付けられて位置が固定された状態であっても、アンテナ部１ｂとＲＦＩＤタグ２５とを近接した状態で保持することができる。従って、金型３を用いた成形作業中に、アンテナ部１ｂとＲＦＩＤタグ２５との間で情報の送受信を容易に行うことができる。【選択図】図２
2009037416.tif 000002
【特許請求の範囲】
【請求項１】
ＲＦＩＤタグが取り付けられた取付対象物にアンテナを取り付けるためのアンテナの取付構造であって、
前記アンテナは、ジョイント部材を介して、前記ＲＦＩＤタグと対向するように、前記取付対象物に取り付けられることを特徴とするアンテナの取付構造。
【請求項２】
前記アンテナは、前記取付対象物から取り外し可能であることを特徴とする請求項１に記載のアンテナの取付構造。
【請求項３】
前記ジョイント部材は、筒形状であり、
前記ジョイント部材の一方の開口部側の内側に前記ＲＦＩＤタグが位置し、前記ジョイント部材の他方の開口部側の内側に前記アンテナが位置するように、前記アンテナが取り付けられることを特徴とする請求項１又は２に記載のアンテナの取付構造。
【請求項４】
前記ジョイント部材は非金属で形成されていることを特徴とする請求項１〜３のいずれか１項に記載のアンテナの取付構造。
【請求項５】
前記ＲＦＩＤタグがボルトの頭部に固定され、前記ボルトのネジ部が前記取付対象物に固定されることにより、前記ＲＦＩＤタグが前記取付対象物に取り付けられていることを特徴とする請求項１〜４項のいずれか１項に記載のアンテナの取付構造。
【請求項６】
前記取付対象物が金属であることを特徴とする請求項１〜５のいずれか１項に記載のアンテナの取付構造。
【請求項７】
ＲＦＩＤタグが取り付けられた取付対象物にアンテナを取り付けるジョイント部材であって、
前記取付対象物に取り付けられる取付部と、
前記アンテナを前記ＲＦＩＤタグに対向するように保持する保持部と、
を備えることを特徴とするジョイント部材。
【請求項８】
筒状に形成され、
前記取付部は一方の開口部であり、
前記保持部は他方の開口部であり、
一方の開口部側の内側に前記ＲＦＩＤタグが位置し、他方の開口部側の内側に前記アンテナが位置するように、前記アンテナを前記取付対象物に取り付けることを特徴とする請求項７に記載のジョイント部材。
【請求項９】
非金属で形成されていることを特徴とする請求項６又は７に記載のジョイント部材。
【請求項１０】
取付対象物に固定されたＲＦＩＤタグと、
筒状に形成されて一方の開口部側の内側に前記ＲＦＩＤタグが位置するように前記取付対象物に取り付けられたジョイント部材と、
前記ジョイント部材の他方の開口部側の内側に位置するように前記ジョイント部材を介して前記取付対象物に取り付けられたアンテナと、
前記アンテナを介して前記ＲＦＩＤタグに情報の読み書きを行うリーダライタと、
を備えることを特徴とする送受信システム。
【発明の詳細な説明】
【技術分野】
【０００１】
本発明は、アンテナの取付構造、このアンテナの取付構造に用いられるジョイント部材、及び、このアンテナの取付構造を用いた送受信システムに関する。
【背景技術】
【０００２】
従来から、ＲＦＩＤタグを用いて物を管理する技術がある。一般的に、ＲＦＩＤタグを用いて物を管理する場合には、ＲＦＩＤタグを管理する対象物に固定し、管理する対象物の各輸送先に設置されたリーダライタで、ＲＦＩＤタグ内の情報の読み書きが行われる。情報の読み書きの際には、信号の送受信を行うために、ＲＦＩＤタグとリーダライタのアンテナとを近づける必要がある。
【０００３】
特許文献１には、成形用の金型を管理するために、成形中に得られたデータを金型に固定されたＲＦＩＤタグにリアルタイムで書き込む方法について記載されている。成形中に得られるデータをリアルタイムでＲＦＩＤタグに書き込むためには、成形中、ＲＦＩＤタグとリーダライタを近接した状態で固定する必要がある。そこで、特許文献１に記載された方法とは、金型の外周にＲＦＩＤタグを取り付け、金型ホルダに形成されてＲＦＩＤタグに対向する位置に形成された孔にアンテナを取り付けた棒を挿入する、というものである。
【特許文献１】特開２００５−１３８１１５号公報
【発明の開示】
【発明が解決しようとする課題】
【０００４】
一般的に１台の成形機に取り付けられる金型は様々な形状がある。よって、上記特許文献１の技術では、金型の形状が変わると、アンテナを取り付けた棒を挿入する孔の配置を調整する必要がある。この場合、金型ホルダの位置を調整するか、又は、金型ホルダを変更する必要がある。これでは、様々な形状の金型を取り扱う場合には、実施が困難である。また、同様な形状の金型であっても、成形機に取り付ける度に、ＲＦＩＤタグとアンテナとの間の距離を調整するために、ＲＦＩＤタグ又はアンテナの取付位置を調整する必要があり問題がある。また、上記特許文献１に記載の方法では、管理する対象物が金型に限られ、汎用性が低い。
【０００５】
そこで本発明は、様々な形状の対象物に取り付けられたＲＦＩＤタグに近接した状態でアンテナを容易に保持することを可能とするアンテナの取付構造を提供することを目的とする。また、このアンテナの取付構造において用いられるジョイント部材と、ＲＦＩＤタグ及びアンテナの取付構造を用いた送受信システムを提供することを目的とする。
【課題を解決するための手段】
【０００６】
本発明のアンテナの取付構造は、ＲＦＩＤタグが取り付けられた取付対象物にアンテナを取り付けるためのアンテナの取付構造であって、アンテナは、ジョイント部材を介して、ＲＦＩＤタグと対向するように、取付対象物に取り付けられることを特徴とする。
【０００７】
本発明のアンテナの取付構造では、アンテナがジョイント部材を介してＲＦＩＤタグと対向するように取付対象物に取り付けられる。よって、取付対象物がどんな形状であっても、取付対象物に固定されたＲＦＩＤタグにアンテナを近接させた状態で容易に保持することができる。また、取付対象物が設置機構に取り付けられて位置が固定された状態であっても、アンテナとＲＦＩＤタグとを近接した状態で保持することができる。従って、取付対象物を用いた作業中に、アンテナとＲＦＩＤタグとの間で情報の送受信を確実且つ容易に行うことができる。
【０００８】
好ましくは、上記アンテナの取付構造では、アンテナが取付対象物から取り外し可能である。この場合、アンテナを取付対象物から容易に外して、取付対象物を他の場所へ輸送することができる。そして、取付対象物に取り付けられたＲＦＩＤタグと輸送先に設置された他のアンテナとの間で、情報の送受信を行うことができる。
【０００９】
好ましくは、上記アンテナの取付構造では、ジョイント部材が筒形状であり、ジョイント部材の一方の開口部側の内側にＲＦＩＤタグが位置し、ジョイント部材の他方の開口部側の内側にアンテナが位置するように、ＲＦＩＤタグとアンテナとが取り付けられる。この場合、ジョイント部材の内部にＲＦＩＤタグとアンテナとを収容することとなり、ＲＦＩＤタグとアンテナとを保護することができる。
【００１０】
好ましくは、上記アンテナの取付構造では、ジョイント部材が非金属で形成されている。この場合、ＲＦＩＤタグとアンテナとの間における電波の伝搬経路の少なくとも一部をジョイント部材が覆うことにより、電波が周囲の金属に反射する等の伝搬環境の乱れを抑制することができる。特に、ジョイント部材が筒状で、筒状のジョイント部材の内部においてＲＦＩＤタグとアンテナとの信号の送受信が行われる場合、電波が周囲の金属に反射する等の伝搬環境の乱れを防止することができる。よって、周囲の金属配置にかかわらず、信号の伝搬環境を良好に保つことができる。従って、ＲＦＩＤタグとアンテナとの間の信号の送受信状態を良好に保つことができる。
【００１１】
好ましくは、上記アンテナの取付構造では、ＲＦＩＤタグがボルトの頭部に固定され、ボルトのネジ部が取付対象物に固定されることにより、ＲＦＩＤタグが取付対象物に固定して取り付けられている。この場合、ＲＦＩＤタグを取付対象物に容易且つ確実に取り付けることができる。
【００１２】
また、上記アンテナの取付構造では、取付対象物が金属であってもよい。
【００１３】
本発明のジョイント部材は、ＲＦＩＤタグが取り付けられた取付対象物にアンテナを取り付けるジョイント部材であって、取付対象物に取り付けられる取付部と、アンテナをＲＦＩＤタグに対向するように保持する保持部と、を備えることを特徴とする。
【００１４】
本発明のジョイント部材によれば、取付対象物に取り付けられたＲＦＩＤタグと対向するように、アンテナを取付対象物に取り付けることができる。これにより、取付対象物がどんな形状であっても、取付対象物に固定されたＲＦＩＤタグにアンテナを近接させた所定の距離で容易に保持することができる。従って、取付対象物が設置機構に取り付けられて位置が固定された状態であっても、取付対象物を用いた作業中に、アンテナとＲＦＩＤタグとの間で情報の送受信を容易に行うことができる。
【００１５】
好ましくは、上記ジョイント部材が筒状に形成され、取付部は一方の開口部であり、保持部は他方の開口部であり、一方の開口部側の内側にＲＦＩＤタグが位置し、他方の開口部側の内側にアンテナが位置するように、ＲＦＩＤタグとアンテナとが取付対象物に取り付けられている。この場合、ジョイント部材の内部にＲＦＩＤタグとアンテナとを収容することとなり、ＲＦＩＤタグとアンテナとを保護することができる。
【００１６】
好ましくは、上記ジョイント部材は、非金属で形成されている。この場合、ＲＦＩＤタグとアンテナとの間における電波の伝搬経路の少なくとも一部をジョイント部材が覆うことにより、電波が周囲の金属に反射する等の伝搬環境の乱れを抑制することができる。特に、ジョイント部材が筒状で、筒状のジョイント部材の内部においてＲＦＩＤタグとアンテナとの信号の送受信が行われる場合、電波が周囲の金属に反射する等の伝搬環境の乱れを防止することができる。よって、周囲の金属配置にかかわらず、信号の伝搬環境を良好に保つことができる。従って、ＲＦＩＤタグとアンテナとの間の信号の送受信状態を良好に保つことができる。
【００１７】
本発明の送受信システムは、取付対象物に固定されたＲＦＩＤタグと、筒状に形成されて一方の開口部側の内側にＲＦＩＤタグが位置するように取付対象物に取り付けられたジョイント部材と、ジョイント部材の他方の開口部側の内側に位置するようにジョイント部材を介して取付対象物に取り付けられたアンテナと、アンテナを介してＲＦＩＤタグに情報の読み書きを行うリーダライタと、を備えることを特徴とする。
【００１８】
本発明の送受信システムによれば、アンテナがジョイント部材を介してＲＦＩＤタグと対向するように取付対象物に取り付けることができる。これにより、取付対象物がどんな形状であっても、取付対象物に固定されたＲＦＩＤタグにアンテナを近接させた所定の距離で容易に保持し、ＲＦＩＤタグとリーダライタとの間で情報の読み書きができる。従って、取付対象物が設置機構に取り付けられて位置が固定された状態であっても、取付対象物を用いた作業中に、ＲＦＩＤタグとリーダライタとの間で情報の読み書きができる。
【発明の効果】
【００１９】
本発明によれば、様々な形状の対象物に取り付けられたＲＦＩＤタグに近接した状態でアンテナを容易に保持することができる。これにより、取付対象物が設置機構に取り付けられて位置が固定された状態であっても、アンテナとＲＦＩＤタグとを近接した状態で保持することができる。よって、取付対象物を用いた作業中に、アンテナとＲＦＩＤタグとの間で情報の送受信を容易に行うことができる。
【発明を実施するための最良の形態】
【００２０】
以下、添付図面を参照して、本発明を実施するための最良の形態を詳細に説明する。なお、図面の説明において同一の要素に同一の符号を付し、重複する説明を省略する。
【００２１】
本実施形態に係るアンテナの取付構造は、ＲＦＩＤ（Radio Frequency IDentification）タグが取付けられた管理対象物にアンテナを取付けるためのものである。管理対象物は、ＲＦＩＤタグを用いて情報を管理する物であり、本実施形態ではプレス用の金型（取付対象物）である。ＲＦＩＤタグには金型に関する情報が記録され、リーダライタがアンテナを介してＲＦＩＤタグと情報の送受信を行うことにより、ＲＦＩＤタグの情報の読み書きを行うことができる。図１は、本実施形態に係るアンテナの取付構造を用いて金型にアンテナを取り付けた状態を示す図である。
【００２２】
金型３は、下型５と上型７とにより構成されて、使用時にはプレス機９に設置される。下型５は、プレス機９のボルスター１１上における所定の位置に固定され、この状態で下型５の上面の４隅から４本の棒状のガイド１３が突出している。上型７は、その４隅に形成された貫通孔にガイド１３を挿通して、ガイド１３に沿って上下に動くようにプレス機９にセットされている。ボルスター１１に対して金型３が固定される位置は、金型３の形状及びプレス対象物に応じて決定される。
【００２３】
ボルスター１１に固定された下型５と上型７との間には、プレス対象物である金属製のロール材１５が置かれ、上型７が下方にスライドして下型５と共にシート状のロール材１５をプレスすることにより、ロール材１５を成形する。例えば、プレス機９は、ロール材１５からプラグ用の端子等の成形品を生産する。ロール材１５が、金型３の一方端から下型５と上型７との間に挿入されて、金型３の他方端から成形されて送出される。上型７の上下動作及びロール材１５の繰り出し動作は、それぞれの駆動部（図示せず）を介してコントローラ１７によって制御される。
【００２４】
プレス機９には、各種のセンサを含むセンサ群１９が搭載されている。センサ群１９は、上型７の下死点（最も下がった位置）、金型３の荷重、１分当たりのショット数、累積ショット数等を検出する。そして、センサ群１９は、検出結果を示す信号をコントローラ１７へ出力する。
【００２５】
検出結果を示す信号は、コントローラ１７によってサーバ２１へ出力される。サーバ２１は、ＰＬＣ（programmable logic controller）を備え、このＰＬＣを介して信号の入出力を行う。また、サーバ２１には、異常を予知及び判断するための自動検知プログラムが搭載され、サーバ２１は、センサ群１９による検出結果と各種データベースとに基づいて、プレス機９の異常を検出する。各種データベースとは、運転及び生産履歴を記憶するデータベース、金型３の識別番号及びセンサ群１９による検出結果等の金型３に関する情報を記憶するデータベース、及び、異常を検知する判定ロジック等を記憶するデータベース等である。
【００２６】
サーバ２１は、プレス機９の異常を検出すると、コントローラ１７に信号を出力し、コントローラ１７の制御によって、プレス機９の動作を停止させる。これにより、事故を防止し、不良品の発生を抑制することができる。また、サーバ２１は、金型３に関する各種情報を管理している。これを利用して、例えば、累積ショット数に応じて、金型３の交換やメンテナンスを行うことにより、金型３の寿命を向上させることができる。
【００２７】
また、成形品が端末プラグのように精密な物である場合、下死点が数十μｍ単位でずれると成形品の不良を引き起こす。よって、下死点を管理することにより、加工精度を向上させ、歩留まりを抑制することができる。このように、成形中にリアルタイムで加工中の状態を監視して判断することにより、生産性を向上させることができる。
【００２８】
一方、センサ群１９による検出結果を示す信号は、コントローラ１７によってアンテナ１を介して金型３に取り付けられたＲＦＩＤタグに書き込まれる。プレス機９の動作中、リアルタイムでセンサ群１９は検出を行い、検出結果が金型３のＲＦＩＤタグに書き込まれる。そして、金型３のＲＦＩＤタグには、検出結果が記憶されることになる。
【００２９】
また、金型３のＲＦＩＤタグには、金型３の識別情報、納品情報等が記憶されている。この識別情報は、成形開始時に、金型３をプレス機９にセットした際に、アンテナ１を介してコントローラ１７に読み込まれる。金型３の識別情報は、コントローラ１７によってサーバ２１へ出力され、金型３が目的の成形に適合しているものか否かサーバ２１によって判断される。すなわち、コントローラ１７とアンテナ１とが、ＲＦＩＤタグのリーダライタとして機能する。
【００３０】
成形終了後は、金型３は、プレス機９から取り外されて、保管用の倉庫等に輸送される。保管時には、例えば、ハンディタイプのリーダライタによって金型３のＲＦＩＤタグの読み書きを行うことにより、金型３を管理する。例えば、管理者は、リーダライタによって累積ショット数の情報をＲＦＩＤタグから読み取って、メンテナンスを行うか否か判断する。
【００３１】
このように、金型３の保管時に、ハンディタイプのリーダライタによってＲＦＩＤタグと信号の送受信を行えるように、金型３のＲＦＩＤタグは、金型３の側面に固定されている。また、プレス機９の動作中においては、コントローラ１７とフレキシブルなケーブル２３を介して接続されたアンテナ１と金型３のＲＦＩＤタグとが、信号の送受信が可能な距離に保たれている。
【００３２】
一般的に、信号の送受信が可能な距離は、利用する通信波長によって異なる。例えば、ＵＨＦ帯の通信波長を用いた場合、信号の送受信が可能な距離は比較的長くなる。しかし、ＵＨＦ帯の通信波長を用いると、アンテナが大型になるため、プレス機内部の金型近傍に配置することは困難である。このＵＨＦ帯用のアンテナをプレス機の外側に配置すると、プレス機を構成する金属板に通信波が反射するため、ＲＦＩＤタグとアンテナとの間の信号の送受信の信頼性を確保することができない。
【００３３】
このため、本実施形態に係るアンテナ１として、５３０ＫＨｚ帯の通信波長を利用した小型なアンテナを用いる。５３０ＫＨｚ帯の通信波長を用いた場合、信号の送受信が可能な距離は比較的短くなる。そこで、本実施形態のアンテナの取付構造では、アンテナ１とＲＦＩＤタグとの間の信号の送受信を確実に行うために、アンテナ１とＲＦＩＤタグとの間の距離を１５ｍｍ以下に保つ。
【００３４】
一般的に、ＲＦＩＤタグとアンテナとは、機械的に接続せずに、ＲＦＩＤタグとアンテナとのいずれか一方を他方に近づけて、所定の距離で無線通信を行う。しかし、金型３がプレス機９に設置された状態では、金型３によって、金型３に取り付けられたＲＦＩＤタグのプレス機９に対する位置が異なる。それは、金型３のプレス機９に対する設置位置は状況によって変化すると共に、プレス機９には様々な形状及び大きさの金型３が設置される為である。
【００３５】
一方、金型をプレス機９に設置するたびに、ＲＦＩＤタグに対してアンテナを１５ｍｍ以下の距離にセットするのは、手間がかかり、問題である。このことから、本実施形態では、金型３がプレス機９に設置された状態では、金型３に取り付けられたＲＦＩＤタグに対してアンテナ１が対向し、その間の距離が１５ｍｍ以下となるように、アンテナ１を金型３に取り外し可能に取り付ける。このような本実施形態に係るアンテナの取付構造及びアンテナの取付方法について詳細に説明する。
【００３６】
図２に示すように、下型５には、ＲＦＩＤタグ２５がボルト２７によって取り付けられている。このボルト２７によって、ジョイントソケット２９が下型５に取り付けられている。このジョイントソケット２９を介して、円筒状のジョイント部材３１が下型５に取り付けられている。円柱状のアンテナ１は、ジョイントソケット３３を介してジョイント部材３１に取り付けられることにより、下型５に取り付けられる。引き続き、各部材について詳細に説明する。
【００３７】
ボルト２７は、図３に示すように、頭部２７ａとネジ部２７ｂとを有する六角ボルトであり、鋼等の金属製である。この頭部２７ａには、円板状のＲＦＩＤタグ２５がはめ込まれている。ＲＦＩＤタグ２５は、対向する円形の平面のうち一方の平面が、信号を送受信する機能面２５ａである。ボルト２７の頭部２７ａにおける天面は、ＲＦＩＤタグ２５の形状に合うように、凹部が形成されている。その凹部に、機能面２５ａが露出するようにＲＦＩＤタグ２５がはめ込まれている。ボルト２７の頭部２７ａの天面とＲＦＩＤタグ２５の機能面２５ａとの面位置が合うように、ＲＦＩＤタグ２５は、ボルト２７に対して固定されている。
【００３８】
図４に示すように、ボルト２７のネジ部２７ｂが下型５の側面にねじ込まれることにより、ボルト２７によってＲＦＩＤタグ２５が下型５に固定される。なお、ボルト２７において、頭部２７ａの最大径（対向する角部同士の距離）は、２０ｍｍ程度に形成され、頭部２７ａの厚さは１０ｍｍ程度である。
【００３９】
ジョイントソケット２９は、筒状部２９ａと筒状部２９ａの一方端に形成された底部２９ｂとを有する。筒状部２９ａは、円筒形で、その内部にボルト２７の頭部２７ａがギャップを持って収容できるように、内径がボルト２７の頭部２７ａの最大外径より大きく形成されている。筒状部２９ａの長さは、ボルト２７の頭部２７ａの厚さ程度である。
【００４０】
底部２９ｂは、円板状で、その中央部に貫通孔２９ｃが形成されている。底部２９ｂの貫通孔２９ｃにボルト２７のネジ部２７ｂが挿通できるように、貫通孔２９ｃの直径は、ネジ部２７ｂの直径より大きめに形成されている。このジョイントソケット２９は、強化プラスチックで形成されている。また、ジョイントソケット２９は、下型５に取り付けられた状態で、薬品を用いて下型５の洗浄を行えるように、耐薬品性が高い材料で形成されることが好ましい。
【００４１】
ジョイントソケット２９は、その貫通孔２９ｃにボルト２７のネジ部２７ｂを挿通し、筒状部２９ａの内部にボルト２７の頭部２７ａを収容している。また、ボルト２７が金型３にねじ込まれることにより、ジョイントソケット２９の底部２９ｂが、ボルト２７の頭部２７ａと下型５の側面とに挟まれて固定される。この状態で、ジョイントソケット２９の筒状部２９ａにおける内周面とボルト２７の頭部２７ａにおける外周面との間にはギャップがある。また、筒状部２９ａにおける開口部側の端面は、ボルト２７の頭部２７ａの天面及びＲＦＩＤタグ２５の露出した機能面２５ａの面位置と同じ位置である。
【００４２】
このように、下型５にボルト２７を介してＲＦＩＤタグ２５とジョイントソケット２９とが取り付けられた状態で、下型５は管理される。この状態で、ＲＦＩＤタグ２５が露出しているので、管理者が手に持ったハンディタイプのリーダライタを容易にＲＦＩＤタグ２５に近づけて、情報の読み書きを行うことができる。
【００４３】
アンテナ１は、図５に示すように、円柱状の本体部１ａと、本体部１ａの先端に取り付けられたアンテナ部１ｂとを有する。本体部１ａは、アンテナ１の持ち手として機能し、基端にはケーブル２３が接続されている。本体部１ａの先端面は平面状で、その先端面に本体部１ａより外径の小さい円柱状のアンテナ部１ｂが接続されている。アンテナ部１ｂの先端面１ｃは、ＲＦＩＤタグ２５の機能面２５ａの形と同じ円形状に形成されている。
【００４４】
本実施形態のアンテナ１は、本体部１ａの外径が、ボルト２７の頭部２７ａの最大径と同程度の２０ｍｍ程度に形成され、その長さは５５ｍｍ程度である。また、アンテナ部１ｂの外径及び長さが、１２ｍｍ程度である。また、本体部１ａの先端側の外周面にはネジ溝が形成され、ジョイントソケット３３をアンテナ１に取り付けるための雄ネジとして機能する。
【００４５】
ジョイントソケット３３は、図６に示すように、円筒形の強化プラスチックで形成されている。ジョイントソケット３３の内径は、内部にアンテナ１のアンテナ部１ｂ及び本体部１ａの先端を収容するために、本体部１ａの外径程度の大きさである。ジョイントソケット３３の一方の開口部側の内側にはネジ溝が形成され、アンテナ１に取り付けられるための雌ネジとして機能する。
【００４６】
ジョイントソケット３３とアンテナ１とのそれぞれのネジ溝を嵌合させて、ジョイントソケット３３は、アンテナ１に取り付けられる。これにより、アンテナ１の長手方向に対して、ジョイントソケット３３の位置が固定される。この状態で、ジョイントソケット３３は、アンテナ１のアンテナ部１ｂと本体部１ａの先端を内部に収容した状態となる。また、この状態で、ジョイントソケット３３の先端面は、アンテナ部１ｂの先端面１ｃと同じ面位置である。
【００４７】
円筒状のジョイント部材３１は、図７に示すように、一方の開口部側の取付部３１ａと、他方の開口部側の保持部３１ｂと、取付部３１ａと保持部３１ｂとの間の突出部３１ｃとを有する。取付部３１ａは、金型３に取り付けられる部分である。金型３に取り付けられた状態で、取付部３１ａの内側には、ＲＦＩＤタグ２５及びボルト２７の頭部２７ａが収容される。保持部３１ｂは、アンテナ１に取り付けられる部分である。アンテナ１に取り付けられた状態で、保持部３１ｂの内側には、ジョイントソケット３３と共にアンテナ１の本体部１ａの先端及びアンテナ部１ｂが収容され、保持部３１ｂがアンテナ１を保持する。
【００４８】
突出部３１ｃは、ジョイント部材３１の長手方向の幅が３ｍｍ程度の部分であり、その内周面が内側に突出して肉厚となっている。この突出部３１ｃが形成されることにより、ジョイント部材３１は、強度を強化することができる。なお、突出部３１ｃの内径は、ＲＦＩＤタグ２５の機能面２５ａとアンテナ部１ｂの先端面１ｃの直径と同程度である。このジョイント部材３１は、非金属製であり、例えば、強化プラスチックで形成される。
【００４９】
ジョイント部材３１の内径は、ジョイントソケット３３の外径と同程度である。ジョイント部材３１の保持部３１ｂの内側にアンテナ１の本体部１ａの先端を圧入することにより、図８に示すように、ジョイント部材３１をアンテナ１に固定することができる。この状態で、アンテナ１の長手方向の位置に対して、ジョイント部材３１の位置が固定される。なお、ジョイント部材３１とジョイントソケット３３とを接着剤により固定してもよい。
【００５０】
このジョイント部材３１の外径は、ジョイントソケット２９の内径と同程度である。ジョイント部材３１の取付部３１ａをジョイントソケット２９の内側に圧入することにより、ジョイントソケット２９を介してジョイント部材３１を下型５に取り付けることができる。また、ジョイント部材３１をジョイントソケット２９の底部２９ｂに突き当てることにより、ジョイント部材３１の長手方向の位置に対してＲＦＩＤタグ２５の位置が固定される。よって、ＲＦＩＤタグ２５に対してジョイント部材３１に固定されたアンテナ１の位置が固定される。ジョイント部材３１は、ジョイントソケット２９に対して、人の力で容易に取り付け及び取り外しが可能である。
【００５１】
図２は、アンテナ１をジョイントソケット２９及びジョイント部材３１を介して金型３に取り付けた状態を示す。この状態で、ＲＦＩＤタグ２５の機能面２５ａとアンテナ部１ｂの先端面１ｃとは、互いに対向し、その間の距離は５ｍｍ程度である。また、ＲＦＩＤタグ２５の機能面２５ａとアンテナ部１ｂの先端面１ｃとの間には遮るものがなく、その周囲はジョイント部材３１に覆われている。
【００５２】
図９は、ジョイントソケット２９及びジョイント部材３１が取り付けられたアンテナ１を金型３から取り外した状態を示す。この状態で、ジョイント部材３１がアンテナ１のアンテナ部１ｂを内部に収容しているので、アンテナ部１ｂを保護することができる。また、ハンディタイプの一般的なリーダライタにより、金型３に取り付けられたＲＦＩＤタグ２５の読み書きを容易に行うことができる。
【００５３】
以上説明した本実施形態に係るアンテナの取付構造では、アンテナ部１ｂがジョイント部材３１を介してＲＦＩＤタグ２５と対向するように金型３に取り付けられる。よって、金型３がどんな形状であっても、金型３に固定されたＲＦＩＤタグ２５にアンテナ部１ｂを近接させた状態で容易に保持することができる。また、金型３がプレス機９に取り付けられて位置が固定された状態であっても、アンテナ部１ｂとＲＦＩＤタグ２５とを近接した状態で保持することができる。従って、金型３を用いた成形作業中に、アンテナ部１ｂとＲＦＩＤタグ２５との間で情報の送受信を確実且つ容易に行うことができる。
【００５４】
また、本実施形態に係るアンテナの取付構造では、ジョイント部材３１を金型３から取り外すことにより、アンテナ１を金型３から取り外し可能である。この場合、アンテナ１を金型３から容易に外して、金型３を他の場所へ輸送することができる。そして、金型３に取付けられたＲＦＩＤタグ２５と輸送先に設置されたリーダライタとの間で、情報の送受信を行うことができる。
【００５５】
また、本実施形態に係るアンテナの取付構造では、ジョイント部材３１が筒形状であり、ジョイント部材３１の一方の開口部側の内側にＲＦＩＤタグ２５が位置し、ジョイント部材３１の他方の開口部側の内側にアンテナ部１ｂが位置するように、ＲＦＩＤタグ２５とアンテナ１とが取り付けられる。これにより、ジョイント部材３１の内部にＲＦＩＤタグ２５とアンテナ部１ｂとを収容することとなり、ＲＦＩＤタグ２５とアンテナ部１ｂとを保護することができる。
【００５６】
また、本実施形態に係るアンテナの取付構造では、ジョイント部材３１が非金属で形成されている。これにより、筒状のジョイント部材３１の内部において、ＲＦＩＤタグ２５とアンテナ部１ｂとの信号の送受信が行われる。よって、ＲＦＩＤタグ２５とアンテナ部１ｂとの間を伝搬する信号が周囲の金属に反射する等の伝搬環境の乱れを防止することができる。よって、金属製のプレス機９及び金型３が周囲に配置されているにもかかわらず、信号の伝搬環境を良好に保つことができる。
【００５７】
また、本実施形態に係るアンテナの取付構造では、ＲＦＩＤタグ２５がボルト２７の頭部２７ａに固定され、ボルト２７のネジ部２７ｂが金型３に固定されることにより、ＲＦＩＤタグ２５が金型３に固定して取り付けられている。これにより、ＲＦＩＤタグ２５を金型３に容易且つ確実に取り付けることができる。
【００５８】
また、上述した実施形態において、アンテナの取付構造を用いた送受信システムが構成されている。送受信システムは、金型３に固定されたＲＦＩＤタグ２５と、ジョイント部材３１と、ジョイント部材３１を介して金型３に取り付けられたアンテナ１と、アンテナ１を介してＲＦＩＤタグ２５に情報の読み書きを行うコントローラ（リーダライタ）１７と、を備えている。
【００５９】
本実施形態の送受信システムでは、上述したアンテナの取付構造を用いているので、アンテナ部１ｂとＲＦＩＤタグ２５とが対向するように、アンテナ１を金型３に容易に取り付けることができる。これにより、金型３がどんな形状であっても、金型３に固定されたＲＦＩＤタグ２５にアンテナ部１ｂを近接させた所定の距離で容易に保持し、ＲＦＩＤタグ２５とコントローラ１７との間で情報の読み書きができる。従って、金型３がプレス機９に取り付けられて位置が固定された状態であっても、金型３を用いた成形作業中に、ＲＦＩＤタグ２５とコントローラ１７との間で情報の読み書きができる。
【００６０】
本発明は、上記実施形態に限定されるものではなく、種々の変形が可能である。例えば、上記実施形態では、ＲＦＩＤタグ２５の取付対象物を金型３としたが、これに限られない。本発明のアンテナの取付構造では、ＲＦＩＤタグとアンテナとの間で情報の送受信が可能にアンテナを取付対象物に取り付けるので、作業中にそのＲＦＩＤタグの情報の読み書きを行う必要がある管理対象物に適用した場合、本発明は特に有効である。また、本発明のアンテナの取付構造では、ＲＦＩＤタグ２５とアンテナ部１ｂとの間を伝搬する信号が周囲の金属に反射する等の伝搬環境の乱れを防止することができるので、金属製の管理対象物に適用した場合、本発明は特に有効である。
【００６１】
例えば、ＲＦＩＤタグ２５の取付対象物を切削治具としてもよい。この例について図１０を参照して説明する。図１０は、本実施形態に係るアンテナの取付構造を用いて切削治具にアンテナを取り付けた状態を示す図である。
【００６２】
切削治具４１は、切削機械に取り付けて、切削対象物４３を切削加工するため治具である。切削機械の保持部４５に保持された棒４７の先端に、切削対象物４３が取り付けられる。切削治具４１は、その刃４９が切削対象物４３と対向するように、切削機械の台座５１に取り付けられる。台座５１は、切削対象物４３を保持する棒４７と平行に配されたレール５３に沿った前後方向にスライド可能に構成されている。また、台座５１は、レール５３の長手方向と垂直方向にスライド可能に構成されている。
【００６３】
このような状態で、保持部４５が回転駆動されることにより、切削対象物４３が棒４７を軸に回転する。そして、切削治具４１を切削対象物４３に向かって前進させて、切削対象物４３の切削加工を行う。本実施形態では、円柱状の切削対象物４３が略球状に加工される。
【００６４】
切削治具４１の台座部分の側面には、ボルト２７によってＲＦＩＤタグ２５とジョイントソケット２９とが固定されている。そして、ジョイントソケット３３を介してジョイント部材３１が取り付けられたアンテナ１が、ＲＦＩＤタグ２５とアンテナ部１ｂとが対向した状態で切削治具４１に取り付けられている。この状態で、ＲＦＩＤタグ２５とアンテナ部１ｂとの間の距離は５ｍｍ程度に保たれている。よって、切削作業中に、アンテナ１とＲＦＩＤタグ２５との間で情報の送受信を行うことができる。
【００６５】
また、ジョイント部材３１を切削治具４１から取り外すことにより、アンテナ１を切削治具４１から取り外すことができる。アンテナ１及びジョイント部材３１を切削治具４１から取り外した状態では、ハンディタイプのリーダライタで、切削治具４１のＲＦＩＤタグ２５と情報の送受信を行うことにより、切削治具４１の管理を行うことができる。
【００６６】
また、上記実施形態では、アンテナ１を金型３及び切削治具４１から取り外し可能に構成するために、ジョイント部材３１の取付部３１ａを金型３から取り外せるように構成した。これに限らず、ジョイント部材３１の保持部３１ｂ又はジョイントソケット３３からアンテナ１を取り外し可能に構成してもよい。
【００６７】
また、ジョイント部材３１とジョイントソケット２９との間、ジョイント部材３１とジョイントソケット３３との間にラバーを挟んでも良い。これにより、成形動作中の振動をラバーによって吸収することができる。
【００６８】
また、上記実施形態では、ボルト２７及びジョイントソケット２９が金型３の側面から突出している。これに対して、図１１に示すように、ボルト及びジョイントソケットが金型の側面から突出しないように、金型６１の側面に凹部６１ａを形成し、その凹部６１ａ内にボルト２７及びジョイントソケット６３を収容するように構成してもよい。この場合、ＲＦＩＤタグ２５の機能面２５ａを金型６１の側面と同じ面位置とし、ジョイントソケット６３の筒状部６３ａの先端部が金型６１の側面から突出するように取り付けることが好ましい。これにより、ＲＦＩＤタグ２５の機能面２５ａを保護することができる。この場合も、図１２,１３に示すように、アンテナ１をＲＦＩＤタグ２５と対向するように、取り外し可能に金型６１へ取り付けることができる。従って、上述した実施形態と同様に、金型６１を用いた成形作業中に、アンテナ部１ｂとＲＦＩＤタグ２５との間で情報の送受信を確実且つ容易に行うことができる。
【００６９】
また、上記実施形態では、ジョイント部材３１の取付部３１ａがジョイントソケット２９を介して金型３に取り付けられ、保持部３１ｂがジョイントソケット３３を介してアンテナ１を保持するよう構成したが、本発明はこれに限られない。ジョイントソケット２９を用いずに、ジョイント部材３１の取付部３１を金型３又はボルト２５に直接的に取り付けることとしてもよい。また、ジョイントソケット３３を用いずに、ジョイント部材３１の保持部３１ｂがアンテナ１を直接的に保持してもよい。
【図面の簡単な説明】
【００７０】
【図１】本実施形態に係るアンテナの取付構造を用いて金型にアンテナを取り付けた状態を示す図である。
【図２】本実施形態に係るアンテナの取付構造を用いて金型にアンテナを取り付けた状態を示す断面図である。
【図３】本実施形態に係るアンテナの取付構造において用いられ、ＲＦＩＤタグがはめ込まれたボルトを示す斜視図である。
【図４】本実施形態に係る金型にＲＦＩＤタグが取り付けられた状態を示す断面図である。
【図５】本実施形態に係るアンテナを示す斜視図である。
【図６】本実施形態に係るアンテナにジョイントソケットが取り付けられた状態を示す斜視図である。
【図７】本実施形態に係るジョイント部材を示す斜視図及び断面斜視図である。
【図８】本実施形態に係るジョイント部材がアンテナに取り付けられた状態を示す斜視図である。
【図９】本実施形態に係るアンテナの取付構造を用いてアンテナを金型から取り外した状態を示す断面図である。
【図１０】本実施形態に係るアンテナの取付構造を用いて切削治具にアンテナを取り付けた状態を示す図である。
【図１１】本実施形態の変形例に係る金型にＲＦＩＤタグが取り付けられた状態を示す断面図である。
【図１２】本実施形態の変形例に係るアンテナの取付構造を用いて金型にアンテナを取り付けた状態を示す断面図である。
【図１３】本実施形態の変形例に係るアンテナの取付構造を用いてアンテナを金型から取り外した状態を示す断面図である。
【符号の説明】
【００７１】
１…アンテナ、１ｂ…アンテナ部、３…金型（取付対象物）、１７…コントローラ（リーダライタ）、２５…ＲＦＩＤタグ、２７…ボルト、２７ａ…頭部、２７ｂ…ネジ部、３１…ジョイント部材、３１ａ…取付部、３１ｂ…保持部、４１…切削治具（取付対象物）。
【図１】
2009037416.tif 000003
【図２】
2009037416.tif 000004
【図３】
2009037416.tif 000005
【図４】
2009037416.tif 000006
【図５】
2009037416.tif 000007
【図６】
2009037416.tif 000008
【図７】
2009037416.tif 000009
【図８】
2009037416.tif 000010
【図９】
2009037416.tif 000011
【図１０】
2009037416.tif 000012
【図１１】
2009037416.tif 000013
【図１２】
2009037416.tif 000014
【図１３】
2009037416.tif 000015